【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
フォトクロミック材料の混合物から成るマーキング粒子のコーティングを上部に均一に位置させた基板を含む多色ディスプレイであって、
前記各フォトクロミック材料が、他のフォトクロミック材料に対して異なる波長の光に感光性があり、適切な波長に露光されるときに他のフォトクロミック材料に対して異なる色を生成する、
多色ディスプレイ。
【請求項２】
前記フォトクロミック材料が、スピロピラン、ジチエニルエテン及びそれらの組み合わせから成る群から選択される、請求項１に記載の多色ディスプレイ。
【請求項３】
前記マーキング粒子がスピロピランの混合物を含む、請求項１に記載の多色ディスプレイ。
【請求項４】
前記マーキング粒子が下記式のスピロピラン材料、
【化１】
2006023737.tif 000001
（ここで、ｎは2乃至8の整数であり、Ｒは−Ｈ又は−ＣＨ＝ＣＨ2である。）及び、下記
式のジチエニルエテン材料の混合物を含む、請求項１に記載の多色ディスプレイ。
【化２】
2006023737.tif 000002
【請求項５】
前記スピロピラン材料が下記式で構成される、請求項４に記載の多色ディスプレイ。
【化３】
2006023737.tif 000003
【請求項６】
前記スピロピラン材料が下記式で構成される、請求項４に記載の多色ディスプレイ。
【化４】
2006023737.tif 000004
【請求項７】
前記スピロピラン材料が下記式で構成される、請求項４に記載の多色ディスプレイ。
【化５】
2006023737.tif 000005
2006023737.tif 000006
【請求項８】
前記スピロピラン及びジチエニルエテンの各材料が、マーキング粒子の少なくとも０．０１重量パーセントの量でマーキング粒子内に存在する、請求項４に記載の多色ディスプレイ。
【請求項９】
前記スピロピラン及びジチエニルエテンの各材料が、マーキング粒子の少なくとも０．０５重量パーセントの量でマーキング粒子内に存在し、前記スピロピラン材料がマーキング粒子の５重量パーセント以下の量でマーキング粒子内に存在する、請求項４に記載の多色ディスプレイ。
【請求項１０】
前記マーキング粒子が樹脂及びキレート化剤を更に含む、請求項１に記載の多色ディスプレイ。
【請求項１１】
前記マーキング粒子が、第１のポリマー、第２のポリマー、及びキレート化剤を更に含む、請求項１に記載の多色ディスプレイ。
【請求項１２】
前記多色ディスプレイがアドレス指定可能ディスプレイである、請求項１に記載の多色ディスプレイ。
【請求項１３】
前記フォトクロミック材料の少なくとも１つが多数のフォトクロミック状態を示し、前記多数のフォトクロミック状態の少なくとも２つが異なる吸収スペクトル又は波長において相互に異なる色を生成する、請求項１に記載の多色ディスプレイ。
【請求項１４】
多数のフォトクロミック状態を有する前記フォトクロミック材料が、他のフォトクロミック材料に対して異なる色を生成する、請求項１に記載の多色ディスプレイ。
【請求項１５】
マーキング粒子のコーティングを均一に上部に位置させた基板を含む多色ディスプレイであって、前記マーキング粒子が、第１のポリマー、第２のポリマー、キレート化剤、及びフォトクロミック材料の混合物を含み、前記フォトクロミック材料の混合物が、下記式で構成されるスピロピラン材料、
【化６】
2006023737.tif 000007
（ここで、ｎは−ＣＨ2−単位の繰り返し数を表す整数、Ｒは−Ｈ又は−ＣＨ＝ＣＨ2である。）及び、下記式で示されるジチエニルエテン材料を含む、多色ディスプレイ。
【化７】
2006023737.tif 000008
【請求項１６】
前記スピロピラン材料が下記式から構成される、請求項１５に記載の多色ディスプレイ。
【化８】
2006023737.tif 000009
（ここで、ｎは、２乃至８の整数である。）
【請求項１７】
前記スピロピラン材料が下記式から構成される、請求項１５に記載の多色ディスプレイ。
【化９】
2006023737.tif 000010
（ここで、ｎは２乃至８の整数である。）
【請求項１８】
前記スピロピラン材料が、下記式から構成される、請求項１５に記載の多色ディスプレイ。
【化１０】
2006023737.tif 000011
2006023737.tif 000012
【請求項１９】
前記スピロピラン及びジチエニルエテンの各材料が、マーキング粒子の少なくとも０．０１重量パーセントの量でマーキング粒子内に存在する、請求項１５に記載の多色ディスプレイ。
【請求項２０】
前記スピロピラン及びジチエニルエテンの各材料が、マーキング粒子の少なくとも０．０５重量パーセントの量でマーキング粒子内に存在し、前記スピロピラン材料が、マーキング粒子の５重量パーセント以下の量でマーキング粒子内に存在する、請求項１５に記載の多色ディスプレイ。
【請求項２１】
前記キレート化剤が＋２の状態にある金属塩である、請求項１５に記載の多色ディスプレイ。
【請求項２２】
前記キレート化剤が、カルシウム、マグネシウム、亜鉛又は遷移金属の塩である、請求項１５に記載の多色ディスプレイ。
【請求項２３】
前記キレート化剤が、スピロピラン材料に対する量として、スピロピラン材料の１モルごとに少なくとも１モルのキレート化剤の量でマーキング粒子内に存在する、請求項１５に記載の多色ディスプレイ。
【請求項２４】
前記キレート化剤が、スピロピラン材料に対する量として、スピロピラン材料の１モルごとに少なくとも２モルのキレート化剤の量でマーキング粒子内に存在する、請求項１５に記載の多色ディスプレイ。
【請求項２５】
前記キレート化剤が、スピロピラン材料に対する量として、スピロピラン材料の１モルごとに１０モル以下のキレート化剤の量でマーキング粒子内に存在する、請求項２４に記載の多色ディスプレイ。
【請求項２６】
前記スピロピラン材料が、第１のポリマー又は第２のポリマーのバックボーンに組み込まれる、請求項１５に記載の多色ディスプレイ。
【請求項２７】
前記第1のポリマーが、スチレン、α−メチルスチレン、ビニルトルエン、ｎ−アルキ
ルメタクリレート、ｎ−アルキルアクリレート、分岐アルキルメタクリレート、分岐アルキルアクリレート、塩素化オレフィン、ビニル−フェノール性材料、アルコキシ・アルコキシ・アルキルアクリレート、アルコキシ・アルコキシ・アルキルメタクリレート、シアノアルキルアクリレート、シアノアルキルメタクリレート、アルコキシアルキルアクリレート、アルコキシアルキルメタクリレート、メチルビニルエーテル、無水マレイン酸、ブタジエン、エチレン、酢酸ビニル、イソブチレン、イソプレン又はその混合物から選択されるモノマーから成るポリマーである、請求項１５に記載の多色ディスプレイ。
【請求項２８】
前記第２のポリマーが、（ａ）セバコイルジクロリド、塩化テレフタロイル、塩化フタロイル、塩化イソフタロイル、塩化アゼロイル、塩化グルタリル、アジポイルクロリド、ヘキサメチレンジイソシアネート、４，４’−ジシクロヘキシルメタンジイソシアネート、２，４−トルエンジイソシアネート、２，６−トルエンジイソシアネート、トランス−１，４−シクロヘキサンジイソシアネート、４，４’−メチルジフェニルジイソシアネート、１，３，５−ベンゼントリカルボン酸クロリド、４，４’−メチルジフェニルジイソシアネート、トリス（イソシアネートフォニル）チオリン酸塩、若しくはこれらの混合物から成る群から選択される有機可溶性シェルモノマー、及び、（ｂ）１，６−ヘキサンジアミン、１，４−ビス（３−アミノプロピル）ピペラジン、２−メチルピペラジン、ｍ−キシレン−α、α’−ジアミン、１，８−ジアミノ−ｐ−メンタン、３，３’−ジアミノ−Ｎ−メチルジプロピルアミン、１，３−シクロヘキサンビス（メチルアミン）、１，４−ジアミンシクロヘキサン、２−メチルペンタンジアミン、１，２−ジアミノシクロヘキサン、１，３−ジアミノプロパン、１，４−ジアミノブタン、２，５−ジメチルピペラジン、ピペラジン、フッ素含有１，２−ジアミノベンゼン、Ｎ，Ｎ’−ジメチルエチレンジアミン、ジエチレントリアミン、ビス（３−アミノプロピル）アミン、トリス（２−アミノエチル）アミン若しくはこれらの混合物から成る群から選択される水溶性モノマーとの、界面重合によって調製される、請求項１５に記載の多色ディスプレイ。
【請求項２９】
前記第２のポリマーが、ポリ尿素、ポリウレタン類、ポリエステル類、サーモトロピック液晶ポリエステル類、ポリカーボネート類、ポリアミド類、ポリスルホン類、ポリ（尿素−ウレタン類）、ポリ（エステル−アミド類）、ポリ（尿素−アミド類）、又はこれらの混合物から成る群から選択される、請求項１５に記載の多色ディスプレイ。
【請求項３０】
前記第１のポリマーがマーキング粒子の３５乃至９０重量パーセントの量で存在し、前記第２のポリマーがマーキング粒子の５乃至５０重量パーセントの量で存在する、請求項１５に記載の多色ディスプレイ。
【請求項３１】
帯電制御剤を更に含む、請求項１５に記載の多色ディスプレイ。
【請求項３２】
着色剤を更に含む、請求項１５に記載の多色ディスプレイ。
【請求項３３】
キャリヤ粒子に付着される、請求項１５に記載のマーキング粒子を含む現像剤成分。
【請求項３４】
マーキング粒子がキャリヤ粒子の少なくとも１重量パーセントの量で存在し、マーキング粒子がキャリヤ粒子の５重量パーセント以下の量で存在する、請求項３３に記載のマーキング粒子を含む、多色ディスプレイ。
【請求項３５】
イメージング部材上に静電潜像を生成することと、
前記イメージング部材を、フォトクロミック材料の混合物を含むマーキング粒子と接触させることによって潜像を現像することと、
を含み、
前記各フォトクロミック材料が、互いに異なる波長の光に感光性があり、適切な波長の光に露光されるとき、他のフォトクロミック材料とは異なる色を生成する、
ディスプレイを形成するためのプロセス。
【請求項３６】
現像された画像のマーキング粒子の少なくとも一部に、第１の吸収スペクトルに対応する第１の不可視状態から第２の吸収スペクトルに対応する第２の可視状態にフォトクロミック変化をもたらすことを更に含む、請求項３５に記載のプロセス。
【請求項３７】
前記マーキング粒子の第１の部分が、前記第１の状態から前記第２の状態にシフトさせられ、前記マーキング粒子の第２の部分が第１の状態のままにある、請求項３５に記載のプロセス。
【請求項３８】
前記第２の状態のマーキング粒子が、その後、別のフォトクロミック変化をするようにされ、それにより、マーキング粒子を前記第１の可視状態に戻す、請求項３５に記載のプロセス。